(57)【要約】多目的媒体アクセスデバイスであって、該デバイスは、多目的ユーザデバイスと少なくとも１つの通信ネットワークとの間にデータの転送を制御するように動作可能な通信インターフェイスと、ユーザデータおよび固有ユーザ識別子を記憶するように動作可能なデータ記憶モジュールと、少なくとも１つの実行可能プログラムが記憶されたプログラム記憶モジュールとを含み、前記プログラムは、前記固有ユーザ識別子に関連づけられたユーザプロファイルに従い、通信ネットワーク上においてデータ転送能力のうちのいくつかの限定されたセットを可能にする多目的媒体アクセスデバイスのオペレーショナルフィーチャの所定のセットを可能にするために、固有ユーザ識別子を使用する命令を含み、かつ、該デバイスは、プログラム記憶モジュールに記憶された実行可能プログラムを実行し、ユーザデータのセットを生成するよう動作可能なプロセッサと、処理されたユーザデータを表示するディスプレイとを含む。
2008502995.tif 000002
【特許請求の範囲】
【請求項１】
多目的媒体アクセスデバイスにおいて、
前記多目的アクセスデバイスと少なくとも１つの通信ネットワークとの間にデータ転送を制御するように動作可能な通信インターフェイスと、
ユーザデータと固有ユーザ識別子とを記憶するよう動作可能なデータ記憶モジュールと、
少なくとも１つの実行可能プログラムが記憶されたプログラム記憶モジュールであって、前記プログラムは、前記固有ユーザ識別子に関連づけられたユーザプロファイルに従い、前記通信ネットワーク上においてデータ転送能力のうちのいくつかの限られたセットを可能にする、前記多目的媒体アクセスデバイスの所定のオペレーショナルフィーチャのセットを可能にするために、前記ユーザ識別子を使用する命令を含む、プログラム記憶モジュールと、
前記ユーザプロファイルに従い処理されたユーザデータのセットを生成するために、前記データ記憶モジュールに記憶されたデータを処理するために、前記プログラム記憶モジュールに記憶された前記実行可能プログラムを実行するように動作可能なデータプロセッサと、
前記処理されたユーザデータを表示するように動作可能なディスプレイとを含む、多目的媒体アクセスデバイス。
【請求項２】
前記固有ユーザ識別子は暗号化されたデータファイルとして、前記データ記憶モジュールに記憶される、請求項１に記載の多目的マルチメディアデバイス。
【請求項３】
前記ユーザデータのセットは、インターネットサービスプロバイダによって供給された公開キーを用いて生成される、請求項２に記載の多目的マルチメディアデバイス。
【請求項４】
前記データモジュールに記憶された事前設定されたオペレーティングシステムを更に含み、前記オペレーティングシステムはユーザが変更することはできないシステムである、請求項３に記載の多目的マルチメディアデバイス。
【請求項５】
前記プログラム記憶モジュールは、隠しパーティションを含み、前記オペレーティングシステムのリカバリバージョンは前記隠しパーティションに記憶される、請求項４記載の多目的マルチメディアデバイス。
【請求項６】
多目的媒体アクセスデバイスにおいて、
前記多目的アクセスデバイスと少なくとも１つの通信ネットワークとの間にデータ転送を制御する手段と、
ユーザデータと固有ユーザ識別子とを記憶する手段と、
少なくとも１つの実行可能プログラムが記憶されたプログラムを記憶する手段であって、前記プログラムは、前記固有ユーザ識別子に関連づけられたユーザプロファイルに従い、前記通信ネットワーク上においてデータ転送能力のうちのいくつかの限られたセットを可能にする、前記多目的媒体アクセスデバイスの所定のオペレーショナルフィーチャのセットを可能にするために、前記ユーザ識別子を使用する命令を含む、プログラムを記憶する手段と、
前記ユーザプロファイルに従い処理されたユーザデータのセットを生成するために、前記データ記憶モジュールに記憶されたデータを処理するために、前記プログラム記憶モジュールに記憶された前記実行可能プログラムを実行するためのデータ処理手段と、
前記処理されたユーザデータを表示する手段を含む、多目的媒体アクセスデバイス。
【請求項７】
前記固有ユーザ識別子は暗号化されたデータファイルとして前記データ記憶モジュールに記憶される、請求項１１記載の多目的マルチメディアデバイス。
【請求項８】
前記固有ユーザ識別子はデータを記憶するための不揮発性の手段に記憶される、請求項１２記載の多目的マルチメディアデバイス。
【請求項９】
プログラムを記憶するための前記手段に記憶された事前設定されたオペレーティングシステムを更に含み、前記オペレーティングシステムをユーザが変更することはできない、請求項１３に記載の多目的マルチメディアデバイス。
【請求項１０】
プログラムを記憶するための前記手段は隠しパーティションを含み、前記オペレーティングシステムのリカバリバージョンは前記隠しパーティションに記憶される、請求項１４記載の多目的マルチメディアデバイス。
【発明の詳細な説明】
【技術分野】
【０００１】
本発明は、情報処理システムの分野に関し、より詳細には、多目的媒体（メディア）アクセスデータ処理システムに関する。
【背景技術】
【０００２】
コンピュータシステムは、今日の近代社会の多くの分野にコンピュータパワーを供給すべく、広く使用されるようになった。パソコンシステムは通常、システムプロセッサ、関連する揮発性メモリ、および不揮発性メモリを有するシステムユニットと、ディスプレイモニタと、キーボードと、１つ以上のディスクドライブと、固定ディスク記憶装置と、任意のプリンタとを含むマイクロコンピュータとして定義することができる。これらのパソコンシステムは、主として、シングルユーザ（またはコンピュータサーバ・システムとして機能するパソコンの場合のユーザのグループ）に独立した情報処理能力を与えるように構成され、個人または小企業に購入されるように低価格に設定された、情報処理システムである。
【０００３】
既知のコンピュータシステムは、様々なハードウェアコンポーネントを含んでいる。さらに、ユーザがコンピュータシステムを受け取る際、そのコンピュータシステムには、インターネットのブラウジングを可能にするブラウザ・アプリケーション、ワードプロセッサ、または電子メールプログラムのような、所定のソフトウェア・アプリケーションが予めインストールされている可能性がある。
【０００４】
インターネットの構成要素の１つは、ワールド・ワイド・ウェブ（Web）であり、これは、複数のウェブ「ページ」を含むネットワークにグローバルに接続されている。ウェブページは、ブラウザソフトの使用を通じてユーザによって見ることができる情報の集合である。本発明においては、ブラウザソフトを「ブラウザ」と呼ぶことがある。ブラウザは、通信リンクによるウェブページの要求および表示を実行する専用のソフトウェア・アプリケーション・プログラムである。
【０００５】
ウェブページは、テキスト、グラフィックス、音楽やスピーチを含む音、アニメーション、およびビデオイメージを含む様々なマルチメディア成分を組み込むことができる。音成分を含んだウェブページは、ブラウザを使用して、見ることができると共に聞くことができる。 ウェブページは、ユーザが、任意のウェブページから別のウェブページ、グラフィックス、バイナリ・ファイル、マルチメディアファイルへの移動を、インターネット・リソースと同様に可能にするハイパーテキストを使用して、互いに相互連結される。
【０００６】
ウェブは、クライアント／サーバ・モデルで動作する。ウェブは、サーバ・コンピュータ・システムが、グラフィカルなウェブページ情報を遠隔クライアントコンピュータシステムに送信することを可能にする。サーバ・コンピュータ・システム（「サーバシステム」）は、以下に記載するように、ウェブ「サイト」を構築するソフトウェア・ウェブページと同様、ハードウェア・サーバも含んでいる。ハードウェア「サーバ」および「サイト」の用語は、区別なく使用されることがある。
【０００７】
遠隔クライアントコンピュータシステムはブラウザを含んでいるので、ウェブページを表示することができる。ユーザは、ユーザコンピュータ上で、ネットスケープ・ナビゲータ（商標）またはマイクロソフト・インターネット・エクスプローラ（商標）のような、Webクライアント・ブラウザソフトを実行する。このブラウザソフトは、ウェブサーバに接触し、情報またはリソースを要求するクライアントの役割をする。ウェブサーバは、ウェブブラウザに対する情報のロケーションを行い、その後、この情報を送信する。ウェブブラウザは、ユーザのコンピュータ上にユーザに対する結果を表示する。
【０００８】
ウェブページは、ハイパーテキスト・マークアップ言語（「ＨＴＭＬ」）と呼ばれるマークアップ言語を使用して定義される。ＨＴＭＬは、ウェブページをどのようにして表示するかを定義するタグの標準セットを提供する。ＨＴＭＬは、遠隔クライアントコンピュータ上のブラウザに、テキスト、グラフィックス、およびマルチメディアファイルを表示する方法を伝えるためにサーバから送信されるコマンドを含んでいる。ＨＴＭＬはさらに、ウェブページを、他のウェブページおよび他のインターネット・リソースにリンクするためのコマンドを含んでいる。
【０００９】
今日のコンピュータシステムを購入可能な世界人口よりも多くの世界人口のセグメントにコンピュータシステム機能を有したデバイスを提供することが望ましい。
【発明の開示】
【００１０】
本発明のシステムは、ハードドライブの複製による不正コピーあるいはシステムイメージおよびアプリケーションの再利用を防止するために利用される、固有（ユニークな）ＩＤを含む。この固有ＩＤは、オペレーティングシステムイメージのアプリケーションにアクセスすることができる。これは、オペレーティングシステムレベルで暗号化されたＩＤ形式でのアクセスであってもよく、インターネット・サービス・プロバイダへのアクセスを獲得するために、不正システム上にＩＤが複製されないようにする。一つの実装形態では、固有ＩＤの暗号化キーを公開キーとして供給する。この公開キーは、インターネット・サービス・プロバイダによってダウンロードされて、インターネット・サービス・プロバイダによって周期的にアップデートされ得るような方法で実装される。利用者にシステムが供給されると、利用者はこの固有ＩＤを登録し、インターネットおよびＥメールアカウントへのアクセスが可能になる。インターネット・サービス・プロバイダは、指定されたアカウント（ＵＵＩＤ）へのサービスを無効にすることによって、インターネットあるいはＥメールサーバへのアクセスを禁止するように、この固有ＩＤを使用することができる。
【００１１】
一実施形態では、本発明は、多目的媒体アクセス・デバイスに関する。この多目的媒体アクセス・デバイスは、この多目的ユーザデバイスと少なくとも１つの通信ネットワークとの間のデータ転送を制御するように動作可能な通信インターフェイス、ユーザデータと固有ユーザ識別子とを記憶するように動作可能なデータ記憶モジュール、少なくとも１つの実行可能プログラムが記憶されたプログラム記憶モジュールを含む。この実行可能プログラムは、この固有ユーザ識別子に関連づけられたユーザプロファイルに従い、通信ネットワーク上で限定されたテータ転送能力のセットを可能にする、多目的媒体アクセスデバイスの所定のオペレーショナルフィーチャのセットを可能にするために、固有ユーザ識別子を使用する命令を含む。また、多目的媒体アクセス・デバイスは、プログラム記憶モジュールに記憶された実行可能プログラムを実行するように動作可能なプロセッサを含み、このデータ記憶モジュールに記憶されたデータを処理し、ユーザデータのセットを生成する。処理されたユーザデータを表示するためのディスプレイも含まれる。
【００１２】
本発明は、低価格の多目的インターネット接続可能コンピューティングデバイスを提供する。このシステムは、固有ユーザ識別子にリンクされている、パソコンの情報処理能力の固定され、限定されたサブセットを提供する。本発明のシステムは、ＷｉｎｄｏｗｓベースのオペレーティングシステムとＬｉｎｕｘベースのオペレーティングシステムの両方をサポートすることができる。本発明の一実施形態では、オペレーティングシステムはＷｉｎｄｏｗｓ  ＣＥなどの、モバイル版Ｗｉｎｄｏｗｓに基づく。本発明では、このオペレーティングシステムは、工場出荷時にインストール済みのイメージで事前に設定されており、ユーザが変更することはできない。事前設定されているソフトウェアアプリケーションとしては、ワードプロセッサ、スプレッドシート、ウェブブラウザ、ＰＤＦビューア、メディアプレーヤ、および描画アプリケーションが挙げられる。本発明のシステムは、いずれかのマーケットに特有のアプリケーションは含まない。むしろ、デスクトップ上にはインターネットリンクが定義されて事前に設定されており、ユーザは、ウェブメール、オンラインゲーム、および、音楽、映画、スポーツのリンクを含むエンターテイメント、ローカルニュース、天気、および人気のある検索エンジンを使用することができる。ディスプレイ装置上に与えられるデスクトップは、オペレーティングシステムのロードの一部としてこれらのウェブリンクを含むように事前設定されている。
【００１３】
本発明では、ユーザデータのバックアップは、インターネット・サービス・プロバイダを介して供給されてもよい。本発明の一実施形態では、ユーザデータは、システムデータを含むディスクパーティションとは分離されたディスクパーティションに記憶されたリカバリイメージ上に記憶される。このリカバリイメージにより、ユーザあるいは修理人は、わずかな費用でフィールドのオペレーティングシステムイメージをアップデートあるいは修復することができる。
【００１４】
別の実施形態では、本発明は、データ通信ネットワークとともに、オペレーションのために多目的媒体アクセス・デバイスを制御する方法に関連する。このデータ通信ネットワークは、多目的媒体アクセス・デバイスの記憶モジュールに固有ユーザ識別子を記憶させるステップを含む。固有ユーザ識別子は、多目的媒体アクセス・デバイスの所定のオペレーショナルフィーチャのセットに対応し、固有ユーザ識別子に関連付けられたユーザプロファイルに従って、通信ネットワーク上において、限定されたデータ転送能力のセットを可能に（イネーブルに）する。また、データ通信ネットワークは、多目的媒体アクセス・デバイスのプログラク記憶モジュールに記憶されたプログラムを実行する。このプログラムは所定のオペレーショナルフィーチャのセットが、固有ユーザ識別子に関連づけられたユーザプロファイルに従い、多目的媒体アクセス・デバイスと通信ネットワークとの間で限定されたデータ転送を可能にするように、固有ユーザ識別子を使用する命令を含む。
【００１５】
本発明は、電話会社などのインターネット・サービス・プロバイダと複数の低価格の多目的インターネット接続可能コンピューティングデバイスとの間にアカウントを維持するための環境を提供する。この環境は、あらゆるコンピューティングデバイスに関連付けられた固有ＩＤを使用し、装置がインターネットへのアクセスを有するかどうか認証する。この環境により、インターネット・サービス・プロバイダは、多目的媒体アクセスデバイスに対する支払いが遅れていないかどうか、装置が盗難報告されているかどうか、同一装置の複製コピーが存在するかどうか（従って、ソフトウェアの不正コピーが作成されたことを示す）、装置が接続を確立している位置が予測した位置に一致しているかどうか、を含む複数の判断基準に基づいて、装置が有効システムであるかどうかの判定を行うことができる。従って、インターネット・サービス・プロバイダはこの判定を用いて、ユーザとの関係のビジネス部分を管理することができる。
【００１６】
別の実施形態では、本発明はサービスプロバイダと多目的媒体アクセス・デバイスとの間にアカウントを維持する環境に関し、これには、通信媒体に結合された多目的媒体アクセス・デバイスを含む。多目的媒体アクセス・デバイスは、関連する固有ＩＤと、通信媒体に結合されたサービスプロバイダとを含む。サービスプロバイダは、検証モジュールを含む。この検証モジュールは、多目的媒体アクセス・デバイスがサービスプロバイダによって供給されるサービスへアクセスを望む場合に、この多目的媒体アクセス・デバイスが有効システムであるかどうか判定する。
【００１７】
本発明は、添付の図面を参照することにより、この発明の属する技術分野における通常の知識を有する者にとって、より良く理解されるであろう。また、数多くの目的、特徴、および有利な効果も明らかになるであろう。いくつかの図面における同じ参照番号の使用は、類似の構成要素または同一の構成要素を示す。
【発明を実施するための形態】
【００１８】
図１は、複数のユーザに、低コストのコンピューティング多目的媒体アクセス・デバイスを供給するための環境１００のブロック図である。より具体的には、複数の多目的媒体アクセス・デバイス１１０は、電話回線のような通信リンク１２２によってインターネット・サービス・プロバイダ１２０に接続される。１つ以上の多目的の媒体アクセス・デバイス１１０およびインターネット・サービス・プロバイダ１２０の組み合わせは、低価格コンピューティング多目的媒体アクセス／デバイスを複数のユーザに供給するためのシステムを提供する。その後、インターネット・サービス・プロバイダ１２０は、インターネット１４０に接続される。その後、インターネット１４０は、複数のウェブホストサーバ１５０に接続される。
【００１９】
インターネット上の情報にアクセスすることを望むユーザは、「クライアントワークステーション」とも呼ばれる、多目的媒体アクセス・デバイス１１０を使用する。多目的媒体アクセス・デバイス１１０は、ウェブブラウザとして知られているアプリケーション・プログラムを実行する。
【００２０】
多目的媒体アクセス・デバイス１１０は、多目的媒体アクセス・デバイス１１０が、インターネット・サービス・プロバイダ１２０との間で情報の送受信をできるようにする、通信系ハードウェアおよびソフトウェアを含んでいる。通信系ハードウェアおよびソフトウェアは、多目的媒体アクセス・デバイス１１０がインターネット・サービス・プロバイダ１２０と通信リンクを確立することを可能にする。この通信リンクは、デジタル加入者線（ＤＳＬ）のようなダイレクトリンク、Ｔ１、総合サービスデジタル網（ＩＳＤＮ）またはケーブル接続のような有線接続、セル方式、衛星ネットワークによる無線接続またはローカルエリアネットワークによるイーサネットまたはトークン・リングのようなローカルデータ転送システムを含む、様々な接続方式のいずれかであり得る。
【００２１】
利用者がウェブブラウザにコマンドを入力することによって情報の要求を入力する場合、多目的媒体アクセス・デバイス１１０は、指定されたトピックに関係するドキュメントの捜索、またはインターネット・サービス・プロバイダ１２０への特定のウェブページのように、情報の要求を送信する。インターネット・サービス・プロバイダ１２０は次に、インターネット１４０を介して適切なウェブホスト・サーバ１５０へリクエストを転送する。
【００２２】
インターネット・サービス・プロバイダ１２０は、ブラウザから送信された要求を受信し、読み込むためのソフトウェアを実行する。インターネット・サービス・プロバイダ１２０は、リクエストを監視し、特定のウェブサーバ上の情報に対する要求を処理し、ユーザの多目的媒体アクセス・デバイス１１０にその情報を送信する、ウェブサーバ・アプリケーション・プログラムを実行する。
【００２３】
インターネット上のウェブホスト・サーバ１５０はそれぞれ、適切なウェブホスト・サーバ１５０に接続するために、ウェブブラウザにユーザが供給する既知のアドレスを有している。情報がユーザのウェブホスト・サーバ１５０で利用可能でない場合、インターネット１４０は、リクエストされた情報を提供すべく、ウェブサーバ１５０が互いに通信することを可能にする中央のリンクとしての役割を果たす。ウェブサーバ１５０は１つ以上のウェブページを含むことができるので、ユーザはさらに、自分が特定のどのウェブページを見たいかをアドレスで明示することになる。サーバ上のホームページの、ユニバーサル・リソース・ロケータ（ＵＲＬ）としても知られるアドレスは、サーバ、およびサーバ上のページの位置を示す、受信用住所に類似した一連の番号である。簡素化のため、ユーザが、番号の代わりに名前を使用するサーバとドキュメントとを指定することを可能にする、ドメイン名システムが開発された。ＵＲＬはさらに、ドメインネームの終わりに追加情報を含むことによって、コンテンツ・プロバイダに属するページのグループにおける特定のページを指定することができる。
【００２４】
図２は、多目的媒体アクセス・デバイス１１０のブロック図である。多目的媒体アクセス・デバイス１１０は、プロセッサ２０２、キーボード、マウス等のような入出力デバイス２０５に接続される入出力（Ｉ／Ｏ）制御装置２０４、およびランダムアクセスメモリ（ＲＡＭ）のような揮発性メモリを含むメモリ２０６を含んでいる。入出力制御デバイス２０４はまた、ハードディスクドライブのような不揮発性記憶装置２０７に接続される。 多目的媒体アクセス・デバイス１１０はさらに、モデムのような通信装置２１１を含んでいる。 プロセッサ２０２、Ｉ／Ｏコントローラ２０４、メモリ２０６および通信装置２１１は、１つ以上のバス２１２によって互いに接続される。プロセッサ２０２はまた、表示装置２１４に接続されるように構成される。不揮発性記憶装置２０７は、固有ユーザ識別子（unique user identifier）（ＵＵＩＤ）２４０とともに多目的媒体アクセス・デバイス・ソフトウェア２３０を含んでいる。この多目的媒体アクセス・デバイス・ソフトウェア２３０は、プロセッサ２０２上で実行される。固有ユーザ識別子２４０は、例えば読み取り専用メモリデバイス（ＲＯＭ）またはハードワイヤードの集積回路上に格納され得る。
【００２５】
ある実施形態の一例においては、多目的媒体アクセス・デバイス１１０は、ＤＤＲメモリとともに、３６６ＭＨｚで動作するＡＭＤジオードＧＸ２プロセッサおよびＣＲＴ出力を有する。
【００２６】
さらに、ある実施形態においては、メモリ２０６は、１２８メガバイトの、２６６ＭＨｚのＤＤＲＡＭを含んでいる。このＤＤＲＡＭは、サポートすべき設置面積（foot print）の互換性を備えた構成に搭載されてサポートされる（例えばロード・オプションを備えた６４から２５１２ＭＢの間）か、またはＤＩＭＭ／ＳＯＤＩＭＭ構成によってサポートされる。 メモリ２０６の実装は、最良のコスト／フレキシビリティ・トレードオフ・アセスメントに基づく。 メモリは、アップグレードのためにエンド・ユーザがアクセス可能になることを意図していないが、ＯＥＭ要求に基づき、製造時に増加され得る。いずれの場合も、コストおよび電力消費を減少させるよう、メモリインターフェースはターミネートしていない。
【００２７】
多目的媒体アクセス・デバイス１１０の不揮発性記憶装置２０７は、ＢＩＯＳ２５０を格納し、それからブートするための、ブートＲＯＭデバイスを含んでいる。このＲＯＭデバイスは、ソフトウェアとハードウェアの両方のメカニズムによって、現場で更新（フィールドアップデート）が可能である。ＢＩＯＳ２５０を更新するソフトウェアメカニズムは、システムソフトウェア更新プロセスの一部であって、ユーザには見えない。ＲＯＭ中のＢＩＯＳ２５０を更新するハードウェアメカニズムは、エンド・ユーザが利用可能である。
【００２８】
多目的媒体アクセス・デバイス１１０の不揮発性記憶装置２０７には、最小容量の、例えば１０ギガバイトの、３．５インチハードディスクドライブが含まれる。ユーザは、交換あるいはアップグレードするためにこのハードディスクドライブにアクセスすることはできない。このハードディスクは、電圧変換の必要がなくなるよう、ＵＤＭＡ６６（モード５）のシグナリングを３．３ボルトでサポートする。
【００２９】
多目的媒体アクセス・デバイス１１０の通信装置２１１は、例えば、多目的媒体アクセス・デバイス１１０上に外部コネクタを備えた、５６Ｋ  ＩＴＵ  Ｖ．９２モデムを含む。このモデムは、世界中の様々な地域の電話システムをサポートする。モデムはソフトモデムであってよいことが理解されるであろう。
【００３０】
多目的媒体アクセス・デバイス１１０は固有ユーザＩＤ（ＵＵＩＤ）を実装する手段を含む。このＵＵＩＤは、システムを修復あるいはアップデートすることでＵＵＩＤが容易に変更あるいは損失されることがないように実装される。
【００３１】
多目的媒体アクセス・デバイス１１０には、ステレオヘッドホン端子とマイクロホン端子とが内蔵されており、これらの端子はステレオオーディオ再生あるいはボイスオーバーＩＰなどに利用する全二重オーディオをサポートすることができる。このヘッドフォン端子はヘッドフォンを直接駆動することができ、あるいはアンプ内蔵の外部スピーカに接続することができる。ライン入力端子も供給される。このオーディオコネクタには、翻訳を必要としないグラフィカルなシンボルがラベル表示されている。
【００３２】
多目的媒体アクセス・デバイス１１０は４つのＵＳＢコネクタを含む。すべてのＵＳＢポートはハイパワーＵＳＢデバイスへ接続することができる。これらのＵＳＢポートには、翻訳を必要としないグラフィカルなシンボルがラベル表示されている。システム前面のＵＳＢコネクタはマウスおよびキーボードのサポートを目的としているので、これらの部分には、マウスおよびキーボードの、翻訳を必要としない、万人に認識可能なグラフィカルシンボルがラベル表示されている。システム背面のＵＳＢコネクタはプリンタおよび指定された任意の装置のサポートを目的としているため、これらの部分には、翻訳を必要としない、プリンタおよびＵＳＢコネクタの、万人に認識可能なグラフィカルシンボルがラベル表示されている。
【００３３】
多目的媒体アクセス・デバイス１０は、リアパネル上にＶＧＡコネクタを供給し、解像度がＳＸＧＡ、２４ビットカラーで、８５ＨＺのリフレッシュレートの外部ＣＲＴをサポートする。標準アスペクト比４：３がサポートされる。ＶＧＡコネクタには、翻訳を必要としないグラフィカルなシンボルがラベル表示されている。
【００３４】
電話システムへ接続するために、バックパネル上に１つのＲＪ−１１コネクタが設けられる。多目的媒体アクセス・デバイス１１０は、パススルーコネクタを提供しない。モデムポートコネクタには、翻訳を必要としないモデムのグラフィカルなシンボルがラベル表示されている。
【００３５】
多目的媒体アクセス・デバイス１１０は、多目的媒体アクセス・デバイスをイメージリカバリモードにするための複数のメカニズムを含む。そのような方法の１つには、あるボタンを押すことが挙げられる。このボタンは、ユーザが通常知ることのない隠しボタンであり、このボタンを誤って押すことは起こり得ない。このボタンの一例においては、ペーパークリップあるいはこれに類似する小さな物体を用いて筐体上の穴を押すことによってボタンを作動させる。
【００３６】
多目的媒体アクセス・デバイス１１０は、システムに必要な全電圧を供給するために、十分な電流と電力とを供給できるオンボードレギュレータに接続される、外部ＡＣ／ＤＣアダプタを含む。様々な国で同じ電源が使用される可能性があるので、入力は、５０〜６０Ｈｚで交流１００〜２４０Ｖに対応する。
【００３７】
多目的媒体アクセス・デバイスとその他のコンピュータ間にファイルを移動させる第２手段として、ＵＳＢ接続されたフラッシュ記憶装置がサポートされる。ファイルを移動させる第１手段は電子メールである。多目的媒体アクセス・デバイスへのアクセサリとして、ＯＥＭにより、低価格のフラッシュキーのソースが利用可能にされる。このフラッシュキーは特有のドライバを必要としない。
【００３８】
図３はプロセッサ２０２のブロック図である。一実施形態では、このプロセッサ２０２は、Ａｄｖａｎｃｅｄ  Ｍｉｃｒｏ  Ｄｅｖｉｃｅｓ社より入手可能なＧｅｏｄｅ  ＧＸ２プロセッサである。プロセッサ２０２は、プロセッサコア３１０、インターフェイスユニット３１２、グラフィックプロセッサ３１４、ディスプレイコントローラ３１６、およびビデオプロセッサ３１８を含む。プロセッサ２０２はさらに、メモリコントローラ３３０、入出力（Ｉ／Ｏ）インターフェイス３３２、およびディスプレイデバイス（表示装置）インターフェイス３３４を含む。図３には、プロセッサ２０２の更なる特徴は示していない。
【００３９】
図４は、Ｉ／Ｏ制御装置２０４のブロック図である。一実施形態では、このＩ／Ｏ制御装置は、Ａｄｖａｎｃｅｄ  Ｍｉｃｒｏ  Ｄｅｖｉｃｅｓ社より入手可能なＧｅｏｄｅ  ＣＳ５５３５  Ｉ／Ｏコンパニオンデバイスである。このＩ／Ｏ制御装置２０４は、プロセッサインターフェイスモジュール４１０、ＵＳＢコントローラモジュール４１２、ＩＤＥコントローラモジュール４１４、フラッシュメモリコントローラモジュール４１６、オーディオコントローラモジュール４１８、および、システムパワーマネージメントモジュール４２０を含む。
【００４０】
図５は、多目的媒体アクセス・デバイスのパワー状態を示したブロック図である。より具体的には、この多目的媒体アクセス・デバイス１１０は、デバイスのパワー状態を制御するパワーボタンを含む。このパワーボタンは、誤作動しないように保護されている。このパワーボタンには、翻訳の必要がないグラフィカルなシンボルがラベル表示されている。
【００４１】
このパワーボタンは、多目的媒体アクセス・デバイス１１０の通常オペレーションの間に、デバイスをハイバネート、サスペンド、あるいはスリープ状態から復帰させるか、あるいは、デバイスをこれらの状態の１つにする。オン状態あるいはスリープ状態の間、このパワーボタンを４秒間作動させることで、システムがハードオフの状態にされる。
【００４２】
ＬＥＤは、スリープ状態の間はオフ状態であり、ディスプレイデバイスは不動作状態（ディスエイブル）になり、ハードディスクは低パワー状態になるかパーク(parked)され、ＵＳＢデバイスは不動作状態になる。この状態は、ユーザにとっては、電源が切られた状態と同じようにみえる。スリープ状態からのレジュームは、パワーボタンが（４秒未満）操作されて放される場合に生じる。レジューム時間はモニタ同期時間よりも速い。
【００４３】
ディスクにセーブ(save to disk)状態はオフ状態と電気的に同じである。しかし、レジュームの際（パワーボタンが押される）、ＢＩＯＳ２５０は、通常ブートパスではなくハイバネートファイルを使用してシステムをレジュームする。ディスクにセーブ状態からのレジュームには１０秒もかからない。このオペレーティングシステムはスリープ状態をサポートする。ブート時間はそれほど問題でもないので、ディスクにセーブ状態をサポートする必要はない。停電の場合、システムはオフ状態となる。システムがこの”オン”状態の間、パワーボタンが瞬間的に押された場合と同様に、システムの非アクティブ状態はシステムをスリープ状態にさせる。システムの非アクティブ状態の持続時間は、初期設定では１５分に設定されている。このタイムアウトは、多目的媒体アクセス・デバイスシステム構造において、ユーザにより設定可能である。
【００４４】
多目的媒体アクセス・デバイス１１０に適用される状態は、Ｓ０、Ｓ１，Ｓ３（エミュレートされている）およびＳ５だけである。ユーザが認知しうるオペレーティングシステムの状態は、オン（Ｓ０）、スタンバイ（Ｓ１あるいはＳ３）、およびシャットダウン（Ｓ５）である。
【００４５】
図６を参照すると、多目的媒体アクセス・デバイス・ソフトウェア２３０は、オペレーティングシステム６１０、アプリケーションプログラムパーティション６１２、ソフトウェアアップデートモジュール６１４、イメージリカバリモジュール６１６、および、アカウントマネージメントモジュール６１８を含む。
【００４６】
パソコン互換のＢＩＯＳ２５０は、不揮発性記憶装置２０７に格納される。このＢＩＯＳは、ＷｉｎｄｏｗｓベースのオペレーティングシステムとＬｉｎｕｘベースのオペレーティングシステムの両方をサポートする。ＢＩＯＳ２５０は、オペレーティングシステム６１０を、Ｗｉｎｄｏｗｓ  ＣＥタイプのオペレーティングシステムなどの、組み込みクローズドオペレーティングシステムとすることができるよう、互換性のあるブートローダを含んでもよい。このＢＩＯＳ／ブートローダ２５０は、原則的にユーザには見えないものであり、また、オペレーティングシステムをブートするものである。
【００４７】
より具体的には、オペレーティングシステム６１０は、ＷｉｎｄｏｗｓベースのオペレーティングシステムまたはＬｉｎｕｘベースのオペレーティングシステムであってよい。Ｗｉｎｄｏｗｓオペレーティングシステム、またはＬｉｎｕｘオペレーティングシステムは、システムの性能に影響を及ぼしうる、いくつかの設定可能なオペレーションパラメータを独自に有する。このような設定可能なオペレーションパラメータには、アニメーション化されたメニュー、ドラッグする間のウインドウ内容の表示、あるいはポップアップバルーンを含み、さらにブート設定をも含む。オペレーティングシステムがＷｉｎｄｏｗｓであろうとＬｉｎｕｘであろうと、すべてのオペレーティングシステムの特徴は、プロセッサを使用するシステムの価格対性能効果に応じて評価される。このようなコンフィギュレーション設定は、インストールされたイメージに事前に設定されている。
【００４８】
多目的媒体アクセス・デバイス１１０は、多目的媒体デバイス１１０が指定されたように機能するために必要なすべてのアプリケーションプログラム６１２を搭載して出荷される。ユーザはこのオペレーティングシステム６１０にソフトウエアをインストールすることはできない。アプリケーションを追加する、あるいはアップデートするには、多目的媒体アクセスデバイス・ソフトウェアアップデートモジュール６１４を介するのが唯一の方法である。
【００４９】
この多目的媒体アクセス・デバイス１１０は、いずれかのマーケットに特有のアプリケーションは含まない。むしろ、デスクトップ上にはインターネットリンクが定義され、事前に設定されており、そのようなインターネットリンクは、ウェブメール、オンラインゲーム、音楽、映画、スポーツのリンクを含むエンターテインメント、ローカルニュース、天気、および人気のある検索エンジンを含む、対象エリアをターゲットにしたものである。表示装置２１４上に示されるデスクトップは、このようなウェブリンクをオペレーティングシステムのロードの一部として含むよう、事前設定がなされている。
【００５０】
この多目的媒体アクセス・デバイス１１０は、パソコン機能の制限され、固定されたサブセットを供給する。このオペレーティングシステムに含まれる機能はパソコン版のそれと概ね同じである。アプリケーションとしては、ワードプロセッサ、表計算、ウェブブラウザ、ＰＤＦビューア、メディアプレーヤ、および、描画アプリケーションが挙げられる。
【００５１】
クローズドオペレーティングシステム・アプリケーションは、フルスクリーンのみに対応する場合が多いので、アプリケーション間の切り替えは、初期設定のユーザインターフェースでは直感的ではない。従って、このクローズドオペレーティングシステムには、機能強化されたタスクバーが含まれる。
【００５２】
多目的媒体アクセス・デバイス１１０はＣＤ−ＲＯＭドライブを含まない、あるいはサポートしない。ＣＤ−ＲＯＭドライブは、ソフトウェアあるいはデバイスドライバパッケージをインストールするために通常行われる方法である。ソフトウェアのインストールが不作動になり、代わりに、インターネットサービスプロバイダ１２０を介してソフトウェアの管理が行われる。このように、ＵＳＢの周辺機器の使用を、イメージプレロードにおいてサポートされているもの、および固有のドライバまたはソフトウェアを必要としない一般的種類の装置に限定することが必要である。この多目的媒体アクセス・デバイス１１０の主要な目的は、マウス、キーボード、指定されたプリンタ、およびフラッシュ記憶装置（ディスクオンキー）をサポートすることである。一部のインターネット・サービス・プロバイダ１２０はＵＳＢワイヤレス、ケーブルモデム、およびＤＳＬモデムなどのＵＳＢネットワーク周辺機器に対するサポートを必要とし得る。このようなデバイスのサポートには、プレインストールされたドライバを介する。
【００５３】
製品の文書化によりこのような制限が明確になるが、プレインストールされたドライバを備えていない周辺装置を取り付けようとした際には、システムはユーザに規格外のメッセージングを与える。ＵＳＢデバイスからのブートは、エンドユーザに対して許可されない。しかし、多目的媒体アクセスドライブ１１０は、ＵＳＢを介したサービスおよびサポートを可能にする装置を含む。
【００５４】
この多目的媒体アクセスドライブ１１０システムは、固有の見た目や操作感（ルック＆フィール）を与える。このルック＆フィールには、一般的なグラフィカルユーザインターフェース（ＧＵＩ）、スクリーンプロンプト、およびサウンドが含まれる。このソフトウェアは、パソコンのような機能を提供するが、パソコンではない機器を提供する。多目的媒体アクセス・デバイスとパソコンとをさらに区別するために、ブート、ログイン、サスペンド、およびレジュームなどの機能に用いる標準のスクリーンは、多目的媒体アクセス・デバイスシステムのブランド（branding)のルック＆フィールに一致しており、とりわけ、パソコンのルック＆フィールには見えない。
【００５５】
多目的媒体アクセス・デバイス１１０がコールドブートプロセスにあろうと、サスペンドトゥディスクからのリターンプロセスにあろうと、プロセスは速く進む。ディスプレイはどのようなテキストベースのスクリーンも表示しない。グラフィカルスクリーンを表示するために、プロセスが１〜２秒以上を必要とする場合、擬似グラフィカルスクリーンが表示され、多目的媒体アクセス・デバイス１１０がブートプロセスにあるというデモンストレーションを行う。システムがグラフィカルスクリーンの表示をできるようになると、ユーザログインスクリーンが表示されるまで、多目的媒体アクセス・デバイスとＯＥＭロゴとを示したディスプレイが表示される。システムがブートしている間、システムがスタートアップ中であることを示すよう、ユーザにアクティブグラフィカルフィードバックが供給される。
【００５６】
ログインスクリーンは、特定のユーザアカウントを選択する、単純なグラフィカル手段を供給する。ユーザアカウントを選択した後、ユーザは自分のパスワードを入力する。
【００５７】
ＰＣのオペレーティングシステムを初めて体験するユーザにとって、ＧＵＩをどのようにナビゲートし、使用するかを学ぶことは、やる気をそぐような作業である。多目的媒体アクセス・デバイス１１０の主要な目的は、この製品と標準のＰＣとを区別することなので、ユーザは、簡易化されたユーザインターフェースあるいはシェルオプションを利用することができる。簡易化されたユーザインターフェースは設定可能オプションであり、これは、難しい設定などが一切ない、初期設定のユーザインターフェースである。この簡易化されたユーザインターフェースは、チュートリアル、ウェブブラウジング、サポートあるいはヘルプ、ターゲットとする国のユーザを対象としたウェブサイトへのショートカット、およびその他のアプリケーションを含む、オンラインおよびオフライン機能を開始するための、ナビゲートしやすい方法を含む。この簡易化されたインターフェイスのビジュアル的特徴により、統一されて認識可能な装置のブランドがもたらされるが、ＧＵＩを魅力的なものにするために、また、地域文化に基づいて使い易くするために、このビジュアル的特徴を特定のターゲット国用に、およびＯＥＭ用にカストマイズしてもよい。
【００５８】
多目的媒体アクセス・デバイス１１０の独創的技術は、実際には、パソコン技術よりも単純である。初心者ユーザは、他人の助けがなくてもこのシステムをセットアップし、設定することができる。
【００５９】
ユーザが初めてシステムをブートする際に、設定すべきいくつかの項目がある。このような項目としては、ユーザアカウント、時間と日付、ディスプレイ設定、およびダイアルアップ接続が挙げられる。このような設定は、簡単で直感的な、誘導型グラフィカルインターフェースを通じて行われる。Ｗｉｎｄｏｗｓでは、この方法で、時間と日付の設定がすでに行われている。Ｗｉｎｄｏｗｓ上のインターネット接続ウイザードが利用され得る。システムは、初期設定により、シングルユーザアカウントのルック＆フィールを供給する。あるユーザは、更なるアカウントを使用可能にできる。初期のディスプレイ設定は、モニタにとっては理想の設定であると定義される。
【００６０】
このシステムは初心者ユーザをターゲットとしているので、アプリケーションプログラム６１２は、オペレーティングシステムとアプリケーションの用法についての基本トレーニングを含む。ユーザはこのようなチュートリアルを自由に見ることができる。これは、チュートリアルのガイドツアーを開始するアイコンをデスクトップに配置した形式であっても、または最初にアプリケーションを実行するときにチュートリアルを実行するユーザプロンプトであっても、もしくはその両方であってもよい。
【００６１】
様々な家族のメンバーがこの多目的媒体アクセス・デバイス１１０を使用できる。大人ユーザは未成年ユーザとは別の特権を有することができる。また、異なるユーザアカウントを持つことで、各個人は自分たちのコンフィグレーション・プリファレンスを設定でき、また、自分たちのドキュメントフォルダへのデフォルトアクセスを有する。システムのコアアカウントは、新規ユーザ追加オプションを利用できる。コアアカウントは、システム上の初期アカウントであり、家族の中の大人であると考えられる。新規ユーザ追加プロセスは、システムのコンフィグレーションメニュのアイコンを作動し、ユーザ名とパスワードとを設定し、大人のアカウントであるか、子供のアカウントであるかを選択するという簡単なプロセスである。そのアカウントが子供のアカウントである場合は、ある種のウェブページへのアクセスを規制するよう、インターネット・ペアレンタル・コントロールを設定することができる。
【００６２】
クローズドオペレーティングシステムとともに、別々のデスクトップ環境と別々のデフォルトユーザファイルディレクトリが与えられ、複数のユーザアカウントを使用可能にする。
【００６３】
多目的媒体アクセス・デバイス１１０は、様々なシナリオに対して、ソフトウェアイメージのメンテナンスを可能にする。そのようなシナリオとしては、オペレーティングシステムセキュリティパッチ、アプリケーションパッチ、ＢＩＯＳアップデート、新たなドライバおよび／またはアプリケーションなどが挙げられる。
【００６４】
パッチマネージメントのメカニズムがソフトウェア内に含まれる。最小限、インターネット・サービス・プロバイダ１２０がパッチ機能を有する必要がある。あるいは、オペレーティングシステムのメンテナンスを、そのオペレーティングシステムの製造供給元の設備で直接管理することもできる。例えば、Ｗｉｎｄｏｗｓは、標準の”Ｗｉｎｄｏｗｓ  Ｕｐｄａｔｅ”サービスを使用することで維持され得るが、インターネット・サービス・プロバイダは、システムを維持するためのメカニズムを提供する。
【００６５】
多目的媒体アクセス・デバイス１１０は、ワードプロセッサおよびスプレッドシートなどの、生産性アプリケーション６１２を含むとともに、インターネットの閲覧、ブックマークの保存、画像ファイルの保存、および、システムにその他のデータを保存できる能力を含む。ユーザ・コンフィグレーション設定はシステム上に保存される。ユーザのすべてのデータは、ファイルシステムを操作する方法を知る必要なしに、ユーザが直接アクセスできる場所に保存されるべきである。このユーザデータは、ウイルスやその他の手段によりデータが破壊されるのを防止するために、残りのオペレーティングシステムから保護される。フルシステムイメージリカバリの際、ユーザデータは、ハードディスクハードウェアが破壊的に故障しない限りは上書きされるか、あるいは、不変である。
【００６６】
一実施形態では、ユーザデータはシステムデータとは別のディスク・パーティションに保存される。クローズドシステムに基づく多目的媒体アクセス・デバイスは、ハードディスク・セントリック・ファイルマネージメント・メタファー（a hard disk centric file management metaphor）をサポートする。デフォルトの保存先はハードディスクドライブであって、メモリではない。また、アプリケーション６１２は、ユーザのデータファイル構造を認識しているので、文書を保存し、かつ開く初期位置は、ユーザのドキュメントフォルダからである。
【００６７】
単純な機能、つまりディスクから外部の記憶装置へのユーザファイルのコピーではない、ユーザデータのバックアップは、インターネット・サービス・プロバイダ１２０を介して行われ得る。
【００６８】
図７は、イメージリカバリモジュール６１６のオペレーションのフローチャートである。このイメージリカバリモジュール６１６は、ユーザあるいは修理人がわずかな費用でオペレーティングシステムイメージを現場でアップデート、または修復可能にする。イメージリカバリ法の一例としては、アップデートＣＤからブートすることが挙げられる。しかし、この多目的媒体アクセス・デバイス１１０はＣＤ−ＲＯＭを備えていないので、ディスクの隠れた（パーティションされていない）部分からイメージを回復させる解決法が提供される。回復されたイメージは、多目的媒体アクセス・デバイス１１０がこれまでに受け取っているすべてのアップデートとパッチとを含む。ユーザのデータとコンフィグレーション設定は、リカバリの間、変わらない。ユーザは、イメージリカバリの前に、リカバリプロセスを続けたいかどうかについて、また、所要時間を表示したいかどうかについて注意をうながされる。ディスプレイデバイス２１４は、イメージリカバリの間、システムがロックされていないことを保証するために、アクティビティインジケータを用いて、リカバリ中であるというフィードバックをユーザへ送る。
【００６９】
多目的媒体アクセス・デバイス１１０は固有ＩＤを含み、それは、ハードドライブの複製による不正コピー、あるいはシステムイメージおよびアプリケーションの再利用を防ぐために利用される。この固有ＩＤは、オペレーティングシステムイメージのアプリケーションからアクセス可能である。このアクセスは、オペレーティングシステムレベルで暗号化されたＩＤ形式であり、インターネット・サービス・プロバイダへのアクセスを獲得するために、不正システム上にＩＤが複製されるのを防止する。１つの実装形態は、インターネット・サービス・プロバイダによってダウンロードされ、インターネット・サービス・プロバイダによって周期的にアップデートされるような方法で実装される公開キーとして、この固有ＩＤの暗号化キーを供給する。インターネット・サービス・プロバイダ１２０へ接続後、固有ＩＤは、インターネット・サービス・プロバイダの秘密キーを使用して、インターネットサーバにより解読されて、インターネットサーバあるいは電子メールサーバへのアクセスが許可される。
【００７０】
システムが利用者へ提供されると、この固有ＩＤが利用者について登録され、インターネットアカウントおよび電子メールアカウントへのアクセスが可能になる。不正なシステムを試す者がいる場合は、インターネット・サービス・プロバイダ１２０は、指定されたアカウント（ＵＵＩＤ）へのサービスを無効にすることによって、インターネットサーバあるいは電子メールサーバへのアクセスを防止する。インターネットへアクセスするために、海賊版システム上の不正暗号化キーを使用する者がいる場合、このアクセスは、サービスプロバイダが公開キーをアップデートした後は機能しなくなる。
【００７１】
図８は、複数のユーザに低価格の多目的媒体アクセス・デバイスを提供するための、アカウントマネージメントモジュール６１８とインターネット・サービス・プロバイダ１２０とのインタラクションのフローチャートである。より具体的には、ユーザは、多目的媒体アクセス・デバイスでインターネットにアクセスすることによって、多目的媒体アクセス・デバイス１１０でインターネットセッションを開始する（ステップ８１０）。通信装置を介して、インターネット・サービス・プロバイダ１２０への接続が確立される。次に、ユーザは、インターネット・サービス・プロバイダにユーザ名とパスワードとを提供する（ステップ８２０）。次に、インターネット・サービス・プロバイダ１２０は、ユーザが承認されたユーザであるかどうかの判断をする（ステップ８２２）。ユーザが承認されていないユーザの場合、インターネット・サービス・プロバイダはインターネットへのアクセスを拒否する（ステップ８２４）。ユーザが承認されたユーザの場合、インターネット・サービス・プロバイダはセッションを承認し（ステップ８２６）、ユーザはインターネット・サービス・プロバイダ１２０を介してインターネットに接続される。
【００７２】
さらに、ユーザが自分のユーザ名を提供している間、多目的媒体アクセス・デバイス１１０は、ユーザの認識なしに、あるいはユーザが操作しなくても、バックグラウンドでインターネット・サービス・プロバイダ１２０にＵＵＩＤを供給する（ステップ８３０）。次に、インターネット・サービス・プロバイダは、この多目的媒体アクセス・デバイスが有効なシステムであるかどうかを判断する（ステップ８３２）。インターネット・サービス・プロバイダ１２０は、多目的媒体アクセス・デバイスに対する支払いが遅れていないかどうか、多目的媒体アクセス・デバイス１１０に盗難の届出が出されているかどうか、同一装置の複製コピーがあるかどうか（したがって、ソフトウェアの不正コピーが作成されたことを示す）、および、装置が接続を確立している場所が予測される場所に一致しているかどうか、を含む複数の判断基準に基づいて、この多目的媒体アクセス・デバイス１１０が有効システムであるかどうかの判定を行うことができる。本来は、インターネット・サービス・プロバイダ１２０は、ユーザとの関係のビジネス部分を維持するためにこの判定を使用することができる。例えば、多目的媒体アクセス・デバイス１１０がユーザにリースされた場合、この判定により、リース条件が守られているかどうかを判断することができる。システムが有効なシステムの場合、ユーザは、インターネット・サービス・プロバイダを介してインターネットに接続される（ステップ８２６）。
【００７３】
次に、インターネット・サービス・プロバイダ１２０は、接続が有効な時間の長さなどのある特定の判断基準に基づいてインターネットセッションを監視してもよい（ステップ８４０）。その監視に基づいて、インターネット・サービス・プロバイダ１２０は、接続された多目的媒体アクセス・デバイス１１０が有効なシステムであるかどうかの判定を周期的に行い得る（ステップ８３２）。接続された多目的媒体アクセス・デバイス１１０が有効なシステムである場合、インターネット・サービス・プロバイダ１１０はセッションの許可を継続する（ステップ８２６）。接続された多目的媒体アクセス・デバイス１１０が有効システムでない場合、インターネット・サービス・プロバイダ１２０はインターネットへのアクセスを終了する（ステップ８４４）。
【００７４】
本発明は、上述した利点に加えて、本発明に特有のその他の利点を達成するようにうまく構成されている。本発明の特定の実施形態を参照することにより、本発明を示し、説明し、かつ定義しているが、そのような参照は本発明を限定することを意味するのではなく、また、いずれのそのような限定をも暗示しているものではない。関連技術の当業者であれば思いつくであろうが、本発明は、形状および機能において多くの修正、変更、および均等物が存在しうる。図示し説明した実施形態は単なる例であり、本発明の範囲を限定するものではない。
【００７５】
例えば、上述の実施形態は、あるタスクを実行するモジュールを含む。本文に説明したモジュールは、ハードウェアモジュールまたはソフトウェアモジュールを含み得る。ハードウェアモジュールは、アプリケーション・スペシフィック・サーキット内に実装されてもよく、あるいは、何らかの、プログラム可能な論理デバイスの形状で実装されてもよい。ソフトウェアモジュールは、スクリプト、バッチ、あるいはその他の実行可能ファイルを含み得る。このモジュールは、ディスクドライブなどの、機械が解読できる、あるいはコンピュータが読み込み可能な記憶媒体に格納される。本発明の実施形態に従ってソフトウェアモジュールを格納するために用いられる記憶装置としては、例えば、磁気フロッピーディスク、ハードディスク、あるいはＣＤ−ＲＯＭまたはＣＤ−Ｒなどの光学ディスクが挙げられる。本発明の実施形態に従ってファームウェアあるいはハードウェアモジュールを格納するために用いられる記憶装置としては、永続的に、取り外し可能に、あるいは遠隔的にマイクロプロセッサ／メモリシステムに接続できる、半導体ベースメモリがある。その結果、モジュールは、モジュールの機能を実行するためにコンピュータシステムを構築するよう、コンピュータシステムメモリ内に記憶され得る。本文中で検討されたモジュールを格納するために、その他の新しい様々な種類のコンピュータ読み込み可能記憶媒体を使用してもよい。更に、当業者であれば、機能をモジュールに分けることは例示の目的であることが理解されるであろう。別の実施形態では、複数のモジュールの機能を１つのモジュールにまとめることができ、あるいは、複数のモジュールの機能を互いに分解してもよい。例えば、サブモジュールを呼び出すソフトウェアモジュールは、各サブモジュールが自身の機能を実行し、別のサブモジュールへ直接的にコントロールをパスすることができるように、分解してもよい。
【００７６】
また、例えば、多目的媒体アクセス・デバイスに関連して検討されたすべてのソフトウェアは、搬送波に組み込まれた信号として動作可能であることが理解されるであろう。
【００７７】
また、例えば、その他の多目的媒体アクセス・デバイスは本発明の範疇に属することが理解されるであろう。
【００７８】
その結果、本発明は  添付の請求項の精神と範囲とによって限定され、あらゆる点において均等物を完全に考慮したものである。
【図面の簡単な説明】
【００７９】
【図１】低価格の多目的媒体アクセス・デバイスを複数のユーザへ供給するためのシステムのブロック図。
【図２】多目的媒体アクセス・デバイスのシステムブロック図。
【図３】多目的媒体アクセスシステムで使用するプロセッサシステムのブロック図。
【図４】多目的媒体アクセス・デバイスで使用する入出力（Ｉ／Ｏ）システムのブロック図。
【図５】多目的媒体アクセス・デバイスのパワー状態のブロック図。
【図６】多目的媒体アクセス・デバイスのソフトウェアのブロック図。
【図７】多目的媒体アクセス・デバイスのシステムリカバリのブロック図。
【図８】低価格の多目的媒体アクセス・デバイスを複数のユーザへ供給するシステムのアカウントマネージメント・オペレーションのフローチャート。
【図１】
2008502995.tif 000003
【図２】
2008502995.tif 000004
【図３】
2008502995.tif 000005
【図４】
2008502995.tif 000006
【図５】
2008502995.tif 000007
【図６】
2008502995.tif 000008
【図７】
2008502995.tif 000009
【図８】
2008502995.tif 000010
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
多目的媒体アクセスデバイスにおいて、
前記多目的アクセスデバイスと少なくとも１つの通信ネットワークとの間にデータ転送を制御するように動作可能な通信インターフェイスと、
ユーザデータと固有ユーザ識別子とを記憶するよう動作可能なデータ記憶モジュールと、
少なくとも１つの実行可能プログラムが記憶されたプログラム記憶モジュールであって、前記プログラムは、前記固有ユーザ識別子に関連づけられたユーザプロファイルに従い、前記通信ネットワーク上においてデータ転送能力のうちのいくつかの限られたセットを可能にする、前記多目的媒体アクセスデバイスの所定のオペレーショナルフィーチャのセットを可能にするために、前記ユーザ識別子を使用する命令を含む、プログラム記憶モジュールと、
前記ユーザプロファイルに従い処理されたユーザデータのセットを生成するために、前記データ記憶モジュールに記憶されたデータを処理するために、前記プログラム記憶モジュールに記憶された前記実行可能プログラムを実行するように動作可能なデータプロセッサと、
前記処理されたユーザデータを表示するように動作可能なディスプレイとを含み、
前記デバイスはユーザによってソフトウェアがインストールされるのを防止するとともに、ソフトウェアアップデートモジュールによってソフトウェアがインストールされるように構成される、多目的媒体アクセスデバイス。
【請求項２】
前記固有ユーザ識別子は暗号化されたデータファイルとして、前記データ記憶モジュールに記憶される、請求項１に記載の多目的マルチメディアデバイス。
【請求項３】
前記ユーザデータのセットは、インターネットサービスプロバイダによって供給された公開キーを用いて生成される、請求項２に記載の多目的マルチメディアデバイス。
【請求項４】
前記データモジュールに記憶された事前設定されたオペレーティングシステムを更に含み、前記オペレーティングシステムはユーザが変更することはできないシステムである、請求項３に記載の多目的マルチメディアデバイス。
【請求項５】
前記プログラム記憶モジュールは、隠しパーティションを含み、前記オペレーティングシステムのリカバリバージョンは前記隠しパーティションに記憶される、請求項４記載の多目的マルチメディアデバイス。
【請求項６】
多目的媒体アクセスデバイスにおいて、
前記多目的アクセスデバイスと少なくとも１つの通信ネットワークとの間にデータ転送を制御する手段と、
ユーザデータと固有ユーザ識別子とを記憶する手段と、
少なくとも１つの実行可能プログラムが記憶されたプログラムを記憶する手段であって、前記プログラムは、前記固有ユーザ識別子に関連づけられたユーザプロファイルに従い、前記通信ネットワーク上においてデータ転送能力のうちのいくつかの限られたセットを可能にする、前記多目的媒体アクセスデバイスの所定のオペレーショナルフィーチャのセットを可能にするために、前記ユーザ識別子を使用する命令を含む、プログラムを記憶する手段と、
前記ユーザプロファイルに従い処理されたユーザデータのセットを生成するために、前記データ記憶モジュールに記憶されたデータを処理するために、前記プログラム記憶モジュールに記憶された前記実行可能プログラムを実行するためのデータ処理手段と、
前記処理されたユーザデータを表示する手段を含み、
前記デバイスはユーザによってソフトウェアがインストールされるのを妨げるともに、ソフトウェアアップデートモジュールによってソフトウェアがインストールされるのを妨げる、多目的媒体アクセスデバイス。
【請求項７】
前記固有ユーザ識別子は暗号化されたデータファイルとして前記データ記憶モジュールに記憶される、請求項１１記載の多目的マルチメディアデバイス。
【請求項８】
前記固有ユーザ識別子はデータを記憶するための不揮発性の手段に記憶される、請求項１２記載の多目的マルチメディアデバイス。
【請求項９】
プログラムを記憶するための前記手段に記憶された事前設定されたオペレーティングシステムを更に含み、前記オペレーティングシステムをユーザが変更することはできない、請求項１３に記載の多目的マルチメディアデバイス。
【請求項１０】
プログラムを記憶するための前記手段は隠しパーティションを含み、前記オペレーティングシステムのリカバリバージョンは前記隠しパーティションに記憶される、請求項１４記載の多目的マルチメディアデバイス。
【国際調査報告】
2008502995.tif 000011
2008502995.tif 000012
2008502995.tif 000013